(57)【特許請求の範囲】
【請求項１】
難腐敗性天然樹皮に燃焼灰を配合することを特徴とする植物栽培用緑化用資材。
【請求項２】
燃焼灰が動物、草木類、石炭または石油を燃焼して得た灰であることを特徴とする請求項１記載の植物栽培用緑化用資材。
【請求項３】
燃焼灰が草木類を燃焼して得た灰であることを特徴とする請求項１記載の植物栽培用緑化用資材。
【請求項４】
燃焼灰は粒子直径が０．１μｍ以上１００μｍ以下のものを容積率で２０％以上１００％以下含むことを特徴とする請求項１〜３のいずれかに記載の植物栽培用緑化用資材。
【請求項５】
植物栽培用培土または土壌改良材として用いることを特徴とする請求項１〜４のいずれかに記載の植物栽培用緑化用資材。
【請求項６】
吹き付け材として用いることを特徴とする請求項１〜４のいずれかに記載の植物栽培用緑化用資材。
【請求項７】
マルチ材として用いることを特徴とする請求項１〜４のいずれかに記載の植物栽培用緑化用資材。
【請求項８】
燃焼灰を、難腐敗性天然樹皮に対して容積率で２％以上３００％以下配合し、吹き付け材として用いることを特徴とする請求項１〜４のいずれかに記載の植物栽培用緑化用資材。
【請求項９】
燃焼灰を、難腐敗性天然樹皮に対して容積率で２％以上３０％以下配合し、植物栽培用培土または土壌改良材として用いることを特徴とする請求項１〜４のいずれかに記載の植物栽培用緑化用資材。
【請求項１０】
燃焼灰を、難腐敗性天然樹皮に対して容積率で２％以上３０％以下配合し、マルチ材として用いることを特徴とする請求項１〜４のいずれかに記載の植物栽培用緑化用資材。
【請求項１１】
粒径１ｍｍ以上２０ｍｍ以下の砕石を、難腐敗性天然樹皮に対して容積率で１％以上１５％以下を配合し、吹き付け材として用いることを特徴とする請求項１、２、３、４または８のいずれかに記載の植物栽培用緑化用資材。
【請求項１２】
底部に粘土及び防水材で貯水槽を作り、その中に請求項１〜４のいずれかに記載の植物栽培用緑化用資材と土壌とを混ぜてなる床土を入れ、前記防水層の上方に難腐敗性天然樹皮の粉砕物、又は、請求項１〜４のいずれかに記載の植物栽培用緑化用資材からなる排水層を敷き、その上に前記床土を敷いたことを特徴とする芝その他の植物を植栽するグランド・広場等の雨水利用型施工方法。
【発明の詳細な説明】
【０００１】
【発明の属する技術分野】
本発明は、植物栽培用緑化用資材及びその施工方法に関する。
【０００２】
【従来の技術】
腐敗し難い天然樹皮は、疏水性を示し、水を揆水し、植物の生育に必要な水を供給することが難しく、止むを得ず濡れ剤等の界面活性剤を配合していた。しかし、界面活性剤は洗剤の一種であり、洗濯の濯ぎでも明らかな通り、散水や降雨により容易に流亡し本来の揆水性にもどり、植物栽培用培土として、又、吹き付け材等緑化用資材として不適格であった。又、洗剤は河川を汚染し、魚毒性を示し、魚類にも悪影響を及ぼすことが明らかであった。更にこれら天然樹皮は、植物の発芽及び生育に悪影響を及ぼすことがあった。
【０００３】
【発明が解決しようとする課題】
腐敗し難い天然樹皮は、長年繊維状を保ち多くの利点があったが、揆水性が大きくこれを防ぐ方法がなかった。濡れ易くするには、濡れ剤、即ち、界面活性剤を加えると言う常識に反し発想を転換し、表面張力を全く低下させることのない燃焼灰を、揆水性の強い樹皮繊維に加えると、灰は意外にも樹皮の疏水性を容易に親水性表面に変え、水を揆水させることなくよく濡らし、植物の生育に必要な水を保水させることを見いだした。
【０００４】
すなわち、本発明は下記の植物栽培用緑化用資材、吹き付け材及び雨水利用型施工方法に係るものである。
１．難腐敗性天然樹皮に燃焼灰を配合することを特徴とする植物栽培用緑化用資材。
２．燃焼灰が動物、草木類、石炭または石油を燃焼して得た灰であることを特徴とする１記載の植物栽培用緑化用資材。
３．燃焼灰が草木類を燃焼して得た灰であることを特徴とする１記載の植物栽培用緑化用資材。
４．燃焼灰は粒子直径が０．１μｍ以上１００μｍ以下のものを容積率で２０％以上１００％以下含むことを特徴とする１〜３のいずれかに記載の植物栽培用緑化資材。
５．植物栽培用培土または土壌改良材として用いることを特徴とする１〜４のいずれかに記載の植物栽培用緑化用資材。
６．吹き付け材として用いることを特徴とする１〜４のいずれかに記載の植物栽培用緑化用資材。
７．マルチ材として用いることを特徴とする１〜４のいずれかに記載の植物栽培用緑化用資材。
８．燃焼灰を、難腐敗性天然樹皮に対して容積率で２％以上３００％以下配合し、吹き付け材として用いることを特徴とする１〜４のいずれかに記載の植物栽培用緑化用資材。
９．燃焼灰を、難腐敗性天然樹皮に対して容積率で２％以上３０％以下配合し、植物栽培用培土または土壌改良材として用いることを特徴とする１〜４のいずれかに記載の植物栽培用緑化用資材。
１０．燃焼灰を、難腐敗性天然樹皮に対して容積率で２％以上３０％以下配合し、マルチ材として用いることを特徴とする１〜４のいずれかに記載の植物栽培用緑化用資材。
１１．粒径１ｍｍ以上２０ｍｍ以下の砕石を、難腐敗性天然樹皮に対して容積率で１％以上１５％以下を配合し、吹き付け材として用いることを特徴とする１、２、３、４または８のいずれかに記載の植物栽培用緑化用資材。
１２．底部に粘土及び防水材で貯水槽を作り、その中に１〜５のいずれかに記載の植物栽培用緑化用資材と土壌とを混ぜてなる床土を入れ、前記防水層の上方に難腐敗性天然樹皮の粉砕物、又は、１〜５のいずれかに記載の植物栽培用緑化用資材からなる排水層を敷き、その上に前記床土を敷いたことを特徴とする芝その他の植物を植栽するグランド・広場等の雨水利用型施工方法。
【０００５】
難腐敗性の天然樹皮は、多くの利点を有しながら、この疏水性のため、即ち、水をはじく作用及び植物生育阻害作用のため、植物栽培用の培土や法面吹き付け資材として十分な成果をあげることが出来なかった。よって、これまでその殆どは、大切な石油を消費して焼却処分を余儀なくされていた。又、難腐敗性の天然樹皮は吹き付け機内でつまり、法面吹き付けが出来ない欠点があった。更に、従来は、雨水の多くは排水溝に集め捨てていた。
【０００６】
【課題を解決するための手段】
スギ・ヒノキ・ヒバ等難腐敗性廃樹皮の表面を疏水性から親水性に、更に植物生育阻害作用を、今日その処分に困っている灰と言う植物にとって有用なものを少量加えることにより改質することが出来た。
【０００７】
難腐敗性の天然樹皮の大きさは、その使用場面により異なる。ラン・シクラメン等保水性を余り必要としない植物には粗く、５〜１０ｃｍの大きさが適する。芝生・草花等の植栽をする土壌に混ぜ土壌改良する時、及び吹付資材に用いる時は、中間程度の０．５〜５ｃｍの大きさが望ましい。播種用培土に用いる時は、０．１〜３ｃｍと細かいサイズが適する。
【０００８】
難腐敗性天然樹皮に対する燃焼灰の配合率は、灌水設備のない時、及び法面吹付の時は多く要し、通常容積率で２０〜３００％配合する。土壌に混合する時や播種用に使用する時は、比較的少なく、２〜３０％配合する。
【０００９】
界面活性剤の種類は特に限定しないが、コスト的に非イオン性界面活性剤が望ましく、難腐敗性天然樹皮に対するその配合量は容積率で０．０２％以上１５％以下、好ましくは０．０５％以上１０％以下である。灰はそれ以上分解することなく、又、水に溶けることなく、長年に渡り、樹皮の疏水性を親水性に、又、植物生育阻害作用を改質する優れた作用を示した。
【００１０】
吹付材に配合する砕石の大きさは、０．５ｍｍ以上５ｃｍ以下のものがよく、好ましくは１ｍｍ以上２ｃｍ以下のものを難腐敗性天然樹皮に対して容積率で１％以上１０％以下配合して吹付けるのが望ましい。
【００１１】
【作用】
灰は、カルシューム・マグネシューム・シリカ等微量要素を供給する。灰がなぜ植物生育阻害作用を改良するかについては、理論的に今日なお解明出来ていないが、難腐敗性廃樹皮と灰を組み合わせると、健全な植物の生育に役立つ。
【００１２】
更に灰は吸着力が大きい。現在開発されている人工土壌の共通の欠点は、この吸着率が弱く、そのため、施用された肥料の多くは、降雨、散水により流亡し、タレ流しになっていた。農薬も肥料同様タレ流しになり、河川を汚染していたが、この灰を利用することにより、肥料を吸着し、肥料の利用率を向上させ農薬の流亡を防ぎ、廃樹皮、廃灰のリサイクル利用が出来る上、環境を保全する農業生産や緑化工法を可能にした。燃焼灰に界面活性剤を加えると、濡れやすく作用は、予想に反し飛躍的に高まった。
【００１３】
樹皮による法面吹き付けは、腐敗し難い繊維状樹皮がからみあい、散水、降雨でも流亡せず、従来工法の如く高コストで、人手を要するネット張りも不要で、優れた特性のある反面、大きな欠点を有していた。それは、難腐敗性樹皮による吹き付け材は軽く、吹き付け機のタンク及びホースに付着し、吹き付け作業が出来ない重大な欠点があった。従来「ドロ吹き」と称して、土、その中でも粘土質の粒子径０．１ｍｍ以下の細かい土が良いとされていたが、この場合には改良効果がなかった。鋭意努力研究したところ、これまでの常識とは異なる粗大粒の１ｍｍ以上、好ましくは、３ｍｍ以下の砕石粒が有効なことを知見し、本発明を完成した。
【００１４】
従来は、雨水は排水溝に集め捨てていたが、近年芝グランド．公園等大型化し、散水に多額の費用を必要とする上、水資源が枯渇する傾向にあり、本発明の難腐敗性樹皮は殺菌力があり根腐れを起こさないため、これまで不可能とされていた図１に示す通り雨水をリサイクル利用し、併せて散水装置をも必要としない節水型、低コスト施工が可能になった。
【００１５】
（実施例−１）スギ樹皮をハンマーミルで約３ｃｍ以下に粉砕したもの１００部に電気集塵器で集めた石炭燃焼灰３０部を配合したものを、ゴルフ場のグリーンの床土に約２５％混ぜ、化成肥料（２０−５−１０）１部施肥してコウライ芝を張芝する。
【００１６】
（実施例−２）ヒノキ樹皮を、ハンマーミルで約２ｃｍ以下に粉砕した物１００部に、木材燃焼灰２５０部を加え、黒土２０部、芝種子０．１部及び約６ｍｍ直径の砕石５部を加え、モルタルガンで法面吹き付けする。
【００１７】
（実施例−３）青森ヒバ樹皮をナイフミルで約１ｍｍ程度に粉砕した物１００部に、石油燃焼灰５部を配合したものをイネ育苗培土に３０％加え、イネ種子を播種する。
【００１８】
（実施例−４）青森ヒバ樹皮をハンマーミルで約７ｃｍ以下に粉砕した物１００部に動物燃焼灰１０部を混ぜ、緩効性化成肥料（１５−１０−１０）１部を加え、シクラメン栽培用土として使用する。
【００１９】
（実施例−５）スギ樹皮を約２ｃｍ以下に粉砕した物１００部に、石炭燃焼灰５部を加え、屋上緑化用培土として約３０ｃｍの厚さに敷き、花木を植栽する。
【００２０】
（実施例−６）青森ヒバ樹皮を約１ｃｍ以下に粉砕した物１００部に石炭燃焼灰を２０部、及び化成肥料（２０−７−１５）２部を加え、トマト栽培用用土として使用する。
【００２１】
（実施例−７）ヒノキ樹皮を約１ｃｍ以下に粉砕した物１００部に、石油燃焼灰１５部に非イオン性界面活性剤にノニポール１６０（登録商標、三洋化成株式会社製） ０．５部を加え、化成肥料（２０−１０−５）１部を加え、草花播種用培土として使用する。
【００２２】
（実施例−８）スギ樹皮をハンマーミルで約３ｃｍ以下に粉砕したもの１００部に電気集塵器で集めた石炭燃焼灰１０部を配合したものを、ゴルフ場のグリーンの床土に約２５％混ぜ、化成肥料（２０−５−１０）１部施肥して図１に示す方法で施工してコウライ芝を張芝する。
【００２３】
（実施例−９）青森ヒバ樹皮をハンマーミルで約２ｃｍ以下に粉砕したもの１００部に電気集塵器で集めた石炭燃焼灰２０部を配合したものを、サッカー場の床土に約３０％混ぜ、化成肥料（２０−５−１０）１部施肥して、図２に示す方法で施工してコウライ芝を張芝する。図２の発明資材６（丸付数字）として、青森ヒバ樹皮をハンマーミルで約１０ｃｍに粉たものを約３ｃｍ厚さに敷く。
【００２４】
図１に本発明のグランド・広場等の雨水利用型施工法として、貯水型施工法を示す。貯水槽４を水透過性の悪い粘土等で作り、その上にアスファルト乳化剤で防水加工３する。その中に本発明品による軟腐敗性天然樹皮を主体として緑化資材を土壌に混ぜ、床土として芝等を植栽する。
【００２５】
図２に他の施工方法として、過剰水強制排水型施工法を示す。豪雨で貯水域に雨水が溢れた時、例えばスギ樹皮を焼く１０ｃｍに粉砕したもの、又は、燃焼灰を加えた本発明によるもの６を約５ｃｍの厚さに敷くと、この部分が排水層の役目を果たし、過剰水を除去する。
【００２６】
上記のような施工法によれば、雨水のリサイクル利用により節水でき、散水設備及び排水溝が不用となることによりコスト削減ができ、散水の労力が不用となることによりメンテナンスが楽になるというメリットがある。
【００２７】
（対照−１）ヒノキ樹皮を約１ｃｍ以下に粉砕した物１００部に、非イオン性界面活性剤にノニポール１６０ ０．５部を加え、化成肥料（２０−１０−５）１部を加えて、草花播培土とする。
【００２８】
（対照−２）ヒノキ樹皮をハンマーミルで約２ｃｍ以下に粉砕した物１００部に、黒土２０部、芝種子０．１部を加え、モルタルガンで法面吹き付けする。
【００２９】
（対照−３）スギ樹皮を約２ｃｍ以下に粉砕した物を、屋上緑化用培土として約３０ｃｍの厚さに敷き、花木を植栽する。
【００３０】
【発明の効果】
本発明は、以上説明したように構成されているので、次に記載するような効果を奏する。
【００３１】
（１）保水量．湿潤深さ
【表１】
0003703214.tif 000002
【００３２】
○（測定方法）〔保水量．湿潤深さ〕試料１▲リットル▼を植木鉢に入れ、１０回タッピングして沈圧し、水９００ｍｌを注水して注水前後の重量増加分より保水量を求める。同時に試料が湿潤した深さを観察して湿潤深さとした。
【００３３】
○本発明品は、植物の成長に必要な保水量が格段に優れ、湿潤深さより水が土壌深く浸透していることを示した。
【００３４】
（２）植物の発芽性．生育性
【表２】
0003703214.tif 000003
【００３５】
○（試験方法）洋芝のトールフェスク及び野菜のラデッシュの種子５０粒を播種し、２５℃グリーンハウス中１０日後の発芽率を調べる。３０日後の生育性を調べ、生育不良〜生育良好を＋〜＋＋＋＋＋の５段階に評価した。
【００３６】
○ 本発明品は、洋芝．野菜共に発芽率に優れ、その後の生育性にも格段に優れた。
【００３７】
（３）吹き付け性
【表３】
0003703214.tif 000004
【００３８】
○（吹き付け方法）モルタルガンを使用して、通常の方法に従い吹き付けして、その作業性を調べる。
【００３９】
○本発明品は、トラブルなく吹き付け作業が実施出来、芝の発芽．生育性も優れたのに対し、従来技術によるものは、機械内につまり、全く吹き付け作業が出来なかった。
【００４０】
【表４】
0003703214.tif 000005
（４）水溜り．散水
【００４１】
〇４月〜１０月の７カ月間、天然降雨による水溜り回数を観測し、同時に芝の葉枯れの様子より、散水した回数を示した。
【００４２】
○本発明品は、夏シーズンを通じ水溜りなく、散水が殆ど不要であることが判った。
【図面の簡単な説明】
【図１】本発明による貯水型施工法
【図２】本発明による過剰水強制排水施工法
【符号の説明】
１    芝生
２    床土
３    防水加工
４    防水槽
５    貯水域
【図１】
0003703214.tif 000006
【図２】
0003703214.tif 000007